(57)【要約】靴のアウトソールにおけるトラクションクリートおよびレセプタクルシステムにおいて、認可されていないクリートは、レセプタクルキャビティにおける突出部によるレセプタクルへの接続、および、突出部を受け止めるためのクリート装着ステムにおける凹部への接続を防がれる。係止配列は、レセプタクルキャビティを包囲しているボス上の１２の係止歯の環状のアレイを含み、３つおきの歯は、嵌合するクリート係止ポストと協働するためのより急な側面の角度を有する。円筒状のシュラウドは、係止ポストがクリート回転中、アウトソール材料を傷つけることを防ぐ。
2018502649.tif 000002
【特許請求の範囲】
【請求項１】
靴のソール内に取り付けられたレセプタクルに装着するように構成された交換可能なトラクションクリートのための係合システムであって、該システムは、
該クリートおよびレセプタクルのうちの１つから突出している係合ステムと、
該クリートおよびレセプタクルのうちの片方内に画定されたキャビティであって、該キャビティは、該ステムを受け取り、該ステムを係合するように構成されている、キャビティと、
該キャビティ内の突出部材と、
該ステム内に画定される凹部と
を備え、
該凹部は、該キャビティが該ステムを受け取り、該ステムを係合する場合、阻止されずに該突出部材を受け取るように構成され、
その中に画定された凹部を有しない係合ステムは、該突出部材によって該キャビティ内で係合されることを阻まれる、
システム。
【請求項２】
前記ステムは、前記クリートの一部であり、前記キャビティは、前記レセプタクル内に画定される、請求項１に記載のシステム。
【請求項３】
前記クリートとレセプタクルとは、前記ステムおよびキャビティの同軸上に配置された回転軸の周りでの該キャビティ内での挿入方向への該ステムの回転に応じて係合し、前記突出部材は、該キャビティ回転軸上に配置された長手方向軸を有する直立した少なくとも部分的に円錐状の部材である、請求項２に記載のシステム。
【請求項４】
前記凹部は、前記突出部材を受け取るために、少なくとも部分的に円錐状である構成を有する、請求項３に記載のシステム。
【請求項５】
請求項２に記載のシステムにおいて、
前記クリートは、
回転軸を包囲している周囲縁部、上部表面、および底表面を有するハブであって、前記ステムは、該軸の周りで同心円状に配置された該上部表面から延びている、ハブと、
該クリート軸の周りで同心円状に位置する環状のアレイにおいて、角度的に間隔を置かれた関係に配置された複数の係止ポストの組と
をさらに備え、
各係止ポストは、傾斜している側面を有する３つの半径方向内向きに向いている突起を有し、該突起は、半径方向外向きの凹部が挿入され、各ポストにおける１つの突起の１側面の傾斜は、該ポストの各々におけるすべての突起側面の傾斜より急であり、
前記レセプタクルは、
前記キャビティを包囲し、該キャビティを画定している中空の略円筒状のボスと、
前記ボスから半径方向外向きに突出している係止歯の連続的な環状のアレイと
をさらに備え、
該係止歯の連続的な環状のアレイは、該ステムが該キャビティにおいて完全に挿入された場合、該係止ポストを係止関係で係合し、選択された間隔を置かれた係止歯は、残りの係止歯と異なる構成を有し、該突起の各々の該ものと接触し、該キャビティ内における該ステムの前記挿入方向と反対の方向への回転を阻む。
【請求項６】
環状の円筒状のシュラウドをさらに備え、該シュラウドは、前記レセプタクルボスの周りに同心円状に配置され、該レセプタクルボスから半径方向外向きに間隔を置かれることにより、該シュラウドと該レセプタクルボスとの間に前記係止ポストを軸方向に受け取るための環状のスペースを画定し、該シュラウドは、該係止ポストが半径方向に該シュラウドを越えて弾力的に逸れることを防ぐ、請求項５に記載のシステム。
【請求項７】
交換可能なクリートであって、該クリートは、
少なくとも１つのトラクション要素と、
係合ステムと
を備え、
該係合ステムは、凹部を有する遠位端を有し、該凹部は、少なくとも１ミリメートルの長さに該ステム内で軸方向に画定され、延びている、
クリート。
【請求項８】
靴内に取り付けられたレセプタクルとの使用のための請求項７に記載の交換可能なクリートであって、該レセプタクルは、該レセプタクル内に画定されたキャビティを有し、突出部材が、該キャビティ内へ延びており、該クリートは、
前記係合ステムにおける前記凹部をさらに備え、
該係合ステムは、該レセプタクルキャビティ内で受け取られ、該レセプタクルキャビティによって係合されるように構成され、該凹部は、該キャビティが該ステムを受け取り、該ステムを係合する場合、阻止されずに該キャビティ突出部材を受け取るためにさらに構成されている、
請求項７に記載の交換可能なクリート。
【請求項９】
回転軸を包囲している周囲縁部、上部表面、および底表面を有するハブであって、前記ステムは、該軸の周りで同心円状に配置された該上部表面から延びている、ハブと、
複数の角度的に間隔を置かれた動的トラクション要素と
を備え、
該動的トラクション要素の各々は、実質的に該周囲縁部におけるそれぞれの位置から外向きかつわずかに下向きに延びている近位部と、該近位部から実質的に下向きに延びている遠位部とを含み、該遠位部は、芝生係合端で終わり、該動的トラクション要素は、該周囲縁部の周りで上向きの方向で旋回して柔軟であるように該ハブに対して十分に柔軟であり、該トラクション要素は、角度的に間隔を置かれた対に位置づけられており、対間の角度間隔は、各対内の要素間の角度間隔より大きく、各トラクション要素は、該軸を横切る方向で弓状に構成されている、
請求項８に記載のクリート。
【請求項１０】
前記角度的に間隔を置かれた対は、トラクション要素の３つの等角度に間隔を置かれた対からなる、請求項９に記載のクリート。
【請求項１１】
回転軸を包囲している周囲縁部、上部表面、および底表面を有するハブであって、前記ステムは、該軸の周りで同心円状に配置された該上部表面から延びている、ハブと、
該クリート軸の周りで同心円状に位置する環状のアレイにおいて、角度的に間隔を置かれた関係で配置された係止ポストの組と
をさらに備え、
各係止ポストは、傾斜している側面を有する３つの半径方向内向きに向いている突起を有し、該突起は、半径方向外向きの凹部が挿入され、各ポストにおける１つの突起の１側面の傾斜は、該ポストの各々におけるすべての突起側面の傾斜より急である、
請求項８に記載のクリート。
【請求項１２】
前記凹部は、円錐台状の構成を有する、請求項７に記載のクリート。
【請求項１３】
回転軸を包囲している周囲縁部、上部表面、および底表面を有するハブであって、前記ステムは、該軸の周りで同心円状に配置された該上部表面から延びている、ハブと、
該ハブから延びている複数の前記トラクション要素と
をさらに備え、
該トラクション要素のうちの少なくともいくつかは、該周囲縁部の周りで旋回可能であるように該ハブに対して十分に柔軟である、
請求項１２に記載のクリート。
【請求項１４】
靴内に取り付けられたレセプタクルを係止関係で係合するための交換可能なクリートであって、該クリートは、
回転軸を包囲している周囲縁部、上部表面、および底表面を有するハブと、
該上部表面から延びている係合ステムであって、該係合ステムは、該レセプタクル内で受け取られ、該レセプタクルによって係合されるように構成された、係合ステムと、
複数の角度的に間隔を置かれた動的トラクション要素と
を備え、
該動的トラクション要素の各々は、実質的に該周囲縁部におけるそれぞれの位置から外向きかつわずかに下向きに延びている近位部と、該近位部から実質的に下向きに延びている遠位部とを含み、該遠位部は、芝生係合端で終わり、該動的トラクション要素は、該周囲縁部の周りで上向きの方向で旋回して柔軟であるように該ハブに対して十分に柔軟であり、該トラクション要素は、角度的に間隔を置かれた対に位置づけられており、対間の角度間隔は、各対内の要素間の角度間隔より大きく、各トラクション要素は、該軸を横切る方向で弓状に構成されている、
クリート。
【請求項１５】
前記角度的に間隔を置かれた対は、主に、トラクション要素の３つの等角度に間隔を置かれた対からなる、請求項１４に記載のクリート。
【請求項１６】
前記クリート軸の周りで同心円状に位置する環状のアレイにおいて、角度的に間隔を置かれた関係で配置された係止ポストの組をさらに備え、
各係止ポストは、傾斜している側面を有する３つの半径方向内向きに向いている突起を有し、該突起は、半径方向外向きの凹部が挿入され、各ポストにおける１つの突起の１側面の傾斜は、該ポストの各々におけるすべての突起側面の傾斜より急である、
請求項１５に記載のクリート。
【請求項１７】
靴のソール内に取り付けられたレセプタクルに装着するように構成された交換可能なトラクションクリートのための係合システムであって、該システムは、
該クリート内で突出している係合ステムと、
該レセプタクル内に画定されたキャビティであって、該キャビティは、該ステムを受け取り、該ステムを係合するように構成されているキャビティと
を備え、
該クリートは、
回転軸を包囲している周囲縁部、上部表面、および底表面を有するハブであって、該ステムは、該軸の周りで同心円状に配置された該上部表面から延びている、ハブと、
該クリート軸の周りで同心円状に位置する環状のアレイにおいて、角度的に間隔を置かれた関係で配置された複数の係止ポストの組と
をさらに備え、
各係止ポストは、傾斜している側面を有する３つの半径方向内向きに向いている突起を有し、該突起は、半径方向外向きの凹部が挿入され、各ポストにおける１つの突起の１側面の傾斜は、該ポストの各々におけるすべての突起側面の傾斜より急であり、
該レセプタクルは、
該キャビティを包囲し、該キャビティを画定している中空の略円筒状のボスと、
該ボスから半径方向外向きに突出している係止歯の連続的な環状のアレイと
をさらに備え、
該係止歯の連続的な環状のアレイは、該ステムが該キャビティ内に完全に挿入された場合、該係止ポストを係止関係で係合し、選択された間隔を置かれた係止歯は、残りの係止歯と異なる構成を有し、該突起の各々の該ものと接触し、該キャビティ内における該ステムの前記挿入方向と反対の方向で回転を阻む、
システム。
【請求項１８】
環状の円筒状のシュラウドをさらに備え、該シュラウドは、前記レセプタクルボスの周りに同心円状に配置され、該レセプタクルボスから半径方向に外向きに間隔を置かれていることにより、該シュラウドと該レセプタクルボスとの間に前記係止ポストを軸方向に受け取るための環状のスペースを画定し、該シュラウドは、該係止ポストが半径方向に該シュラウドを越えて弾力的に逸れることを防ぐ、請求項１６に記載のシステム。
【発明の詳細な説明】
【技術分野】
【０００１】
（関連出願への相互参照）
本出願は、「Ｉｍｐｒｏｖｅｄ  Ｔｒａｃｔｉｏｎ  Ｃｌｅａｔ  Ａｎｄ  Ａｔｔａｃｈｍｅｎｔ  Ｓｙｓｔｅｍ  ｆｏｒ  Ｆｏｏｔｗｅａｒ」と題され、Ｐｒｉｄｅ  Ｍａｎｕｆａｃｔｕｒｉｎｇ  Ｃｏｍｐａｎｙ、ＬＬＣによって、２０１５年１月１４日に出願された、米国仮出願第６２／１０３，３３８号への優先権を主張し、その中での開示は、その全体が本明細書中でこの参照によって援用される。
【０００２】
（参照によって援用される追加の発明）
以下の特許文献において開示および／または請求された発明は、その全体が本明細書中で参照によって明示的に援用される。
「Ｆｏｏｔｗｅａｒ  Ｃｌｅａｔ」、１９９９年３月３０日に発行された、米国特許第５，８８７，３７１号（Ｃｕｒｌｅｙ）、
「Ｓｔｕｄｄｅｄ  Ｆｏｏｔｗｅａｒ」、２００６年９月１９日に発行された、米国特許第７，１０７，７０８号（Ｋｅｌｌｙ他）、
「Ｓｔｕｄｄｅｄ  Ｆｏｏｔｗｅａｒ」、２００６年１１月２１日に発行された、米国特許第７，１３７，２１３号（Ｋｅｌｌｙ他）、
「Ａｔｈｌｅｔｉｃ  Ｓｈｏｅ  Ｃｌｅａｔ  ｗｉｔｈ  Ｄｙｎａｍｉｃ  Ｔｒａｃｔｉｏｎ  ａｎｄ  Ｍｅｔｈｏｄ  ｏｆ  Ｍａｋｉｎｇ  ａｎｄ  Ｕｓｉｎｇ  Ｓａｍｅ」、２０１２年８月２１日に発行された、米国特許第８，２４５，４２２号（Ｋｒｉｋｏｒｉａｎ他）、
「Ｍｅｔｈｏｄ  ａｎｄ  Ａｐｐａｒａｔｕｓ  Ｆｏｒ  Ｉｎｔｅｒｃｏｎｎｅｃｔｉｎｇ  Ｔｒａｃｔｉｏｎ  Ｃｌｅａｔｓ  ａｎｄ  Ｒｅｃｅｐｔａｃｌｅｓ」、２０１３年１０月１日に発行された、米国特許第８，５４４，１９５号（Ｂｕｒｔ他）、
「Ｒｅｐｌａｃｅａｂｌｅ  Ｔｒａｃｔｉｏｎ  ｃｌｅａｔ  Ｆｏｒ  Ｆｏｏｔｗｅａｒ」、２０１４年１月２１日に発行された、米国特許第８，６３１，５９１号（Ｋｒｉｋｏｒｉａｎ他）、
「Ｔｒａｃｔｉｏｎ  Ｃｌｅａｔ  Ｆｏｒ  Ｆｉｅｌｄ  Ｓｐｏｒｔｓ」、２００９年８月２７日に公開された、米国特許出願公開第２００９／０２１１１１８号（Ｋｒｉｋｏｒｉａｎ他）、および
「Ｔｒａｃｔｉｏｎ  Ｃｌｅａｔ  ａｎｄ  Ｒｅｃｅｐｔａｃｌｅ」、２０１４年６月１９日に公開された、米国特許出願公開第２０１４／０１６５４２３号（Ｂｕｒｔ他）。
【０００３】
（発明の分野）
本発明は、概して、運動靴のための交換トラクションクリートシステムに関係し、より詳細には、そのようなシステムにおける、クリートと、それらの靴を取り付けられたレセプタクルとの間の接続および係止配列の向上に関係する。
【０００４】
用語は、他の態様で述べられない限り、または文脈上明らかでない限り、本明細書中では以下のように使われることを理解されるべきである。
「上側の」、「下側の」、「上部の」、「底の」、「垂直の」、「水平の」などの用語は、便宜上、地面にある靴のソールに装着される場合、クリートおよびレセプタクルの向きを指すために使われており、記載され請求される構造を、他の態様で制限することを意図しない。
「軸方向の」、「軸方向に」、「長手方向の」、「長手方向に」、「同軸上の」などの用語は、軸と平行に延びており、その軸の周りをクリートがレセプタクルにおいて回転させられ、靴のアウトソールに対して実質的に垂直である、寸法を指す。
「半径方向の」、「半径方向に」、「横の」、「横に」などの用語は、クリートおよびレセプタクル回転軸から垂直に延びており、靴のソールと実質的に平行である寸法を指す。
「角度」、「角度の」、「回転式で」などの用語は、他の態様で述べられない限り、クリートおよびレセプタクル回転軸の周りでの回転寸法を指す。
「装着する」、「装着」などの用語は、レセプタクルに対するクリートの不注意による軸方向のずれを防ぐ、クリートとレセプタクルとの間の長手方向係合に関係する。
「係止する」、「係止」などの用語は、装着されたクリートとレセプタクルとの間の不注意による回転運動を防ぐことに関係する。
【背景技術】
【０００５】
（背景）
交換トラクションクリートは通常、ゴルフシューズおよびフットボールシューズなどの運動靴のアウトソール内に埋め込まれるかそのアウトソール内に他の態様で取り付けられる、レセプタクル内のキャビティにおいて受け取られかつ係合されるように構成される装着ステムを含む。いくつかの場合では、係合ステムは、レセプタクル上に提供され得、クリート内に画定されるキャビティにおいて受け取られ得る。いずれの場合でも、係合は通常、クリートとレセプタクルとが所定の位置でしっかりと係止されるまで、レセプタクルに対するクリートの回転によって達成されるが、回転なしの相互係合は、あまり望ましくはないものの、先行技術において示唆されてきた。回転係合システムにおいて、ステムおよびキャビティはねじ山を付けられ得るか、回転係合は、上記に参照された米国特許第８，５４４，１９５号（Ｂｕｒｔ他、特許文献１）において開示されるように、ねじ山を付けることなしに達成され得る。
【先行技術文献】
【特許文献】
【０００６】
【特許文献１】米国特許第８，５４４，１９５号明細書
【発明の概要】
【課題を解決するための手段】
【０００７】
（発明の目的および概要）
いくつかの例では、機能的な、安全性のまたは商業の考慮のため、認可されたクリート（すなわち、特定の構造的か機能的な特徴を有するクリートまたは特定の製造業者によって作られたクリートなど）のみが、特定のレセプタクルとともに使われ得ることを確実にすることが望ましい。認可されていないクリートが特定のレセプタクル構造とともに使われることを防ぐクリートおよびレセプタクルシステムを提供することが、本発明の１つの目的である。靴のアウトソール内に取り付けられるレセプタクルが、クリート上の係合ステムを（ねじでまたは他の態様で）回転式で受け取り、それを係合するように適合されるキャビティを有する、１つの実施形態では、突出部材は、レセプタクルキャビティの内側端壁（すなわち近位端壁）から延びている。認可されたクリートは、ステムを有し、凹部はその遠位端において画定され、回転係合中、レセプタクル突出部材を受け取るように構成され、それによって、クリートステムがレセプタクルキャビティ内で回転式で受け取られかつ係合されることを可能にする。認可されていないクリートは、ステム凹部を有しておらず、認可されていないクリートのステムが、レセプタクル突出部材によって、レセプタクルキャビティ内に挿入されレセプタクルキャビティによって係合されることを阻害されるか阻まれる。キャビティがクリート上にあり、ステムがレセプタクル上にあるクリートレセプタクルシステムに対して、突出部材はクリートキャビティ内にあり得、凹部はレセプタクルステム内に画定され得る。
【０００８】
いくつかの適用が、例えば、レセプタクルが比較的薄いアウトソールを有する靴内に取り付けられることを可能にするために、レセプタクルの全高（すなわち、軸方向長さ）をできるだけ短くすることも望ましい。しかし、レセプタクルの高さを低くする場合、当業者は、使用中、力にさらされるときの、レセプタクルの強さ、レセプタクルにおいてクリートを保持するレセプタクルの能力、および／またはアウトソール内に保持されるレセプタクルの能力を犠牲にしないことが重要である。発明の別の目的は、軸方向長さが短いレセプタクル構造を提供すること、および、破裂に抵抗し、係合クリートを解放することに抵抗し、かつ／または比較的薄いアウトソールから引き剥がされることに抵抗するように構築されるレセプタクル構造を提供することである。本発明の実施形態では、レセプタクルの軸方向長さは、４．０ミリメートルしかない。
【０００９】
発明の別の目的は、レセプタクルからのクリートの不注意による取り外しを防ぐために、改良された係止配列を提供することである。具体的には、上記に参照された米国特許出願公開第２０１４／０１６５４２３号（Ｂｕｒｔ他）に、クリートハブ上の角度的に間隔を置かれた係止ポストの環状のアレイが、レセプタクルキャビティを包囲している、レセプタクル上の円筒状のボスの外側表面から半径方向に突出しているそれぞれの係止歯またはスタブを係合する、ＦＡＳＴ  ＴＷＩＳＴ（登録商標）タイプの係止配列が公開されている。本発明の別の特徴として、係止ポストおよび係止歯の構成／位置が修正され、係止歯の数が、係止機能を向上させるために増加させられる。具体的には、１つの実施形態では、１２の係止スタブまたは歯が、レセプタクルキャビティを包囲している円筒状のボスの半径方向に外側の表面上の環状のアレイにおいて配置される。同じ構成を有するすべてのこれらの係止歯の代わりに、係止歯のうちの３つ（すなわち、アレイ内の３つおきの歯）が、他の９つと異なり得、３つの異なる歯の（挿入回転方向にあると考えられる）後縁表面は、より急な角度を提供され、その結果、クリート係止ポストと協働して、クリートの逆回転がより効果的に抵抗される。
【００１０】
前述のＦＡＳＴ  ＴＷＩＳＴ（登録商標）配列を使う、いくつかの先行の係止システムにおいて、クリートを回転させる場合、クリート上の係止ポストは、レセプタクル係止スタブまたは歯によって、半径方向に外向きに押しやられ、レセプタクルが埋め込まれているアウトソールの材料と接触する。アウトソール材料との接触は、レセプタクル内でのクリートの保持を助け得るが、アウトソールに有害であり得、そこにおいてクリートの取り付けを緩めることをもたらし、さらに、レセプタクル内でのクリート保持の程度をアウトソールのために使われる特定の材料に依存させ得る。発明の別の目的は、クリートの挿入および取り外し中、クリートがレセプタクルキャビティ内で回転させられる場合、クリート上の係止ポストがアウトソール材料に対してもたれることを防ぐことである。これを達成するために、環状の壁またはシュラウドが、レセプタクルボスの外側壁の周りに同心円状に配置され、かつ、それから半径方向に外向きに間隔を置かれる。係止ポストがシュラウドから半径方向に内向きに位置するように、かつ、ポストが係止歯を跨ぎ外向きに押しやられる場合、ポストがアウトソール材料ではなくレセプタクルシュラウドと接触するように、シュラウドは半径方向に位置づけられ、その結果、保持力は、予測可能であり、異なるアウトソール材料に依存しない。
【００１１】
発明の別の目的は、クリートトラクション効果を高めるために、クリートの動的トラクション要素の修正された構成を提供することである。具体的には、動的トラクション要素は、クリート回転軸の周りで角度的、および軸方向（すなわち、下向き）の両方で、曲率を有し、ベース周囲に沿って角度的に間隔を置かれた３対に特有に配列される。各対における２つのトラクション要素の角度間隔は、対間の間隔より非常に小さい。弓状の動的トラクション要素は、片持ち梁のように持ち出された態様でクリートハブから延びており、クリートが据え付けられた靴を履いている典型的な人の重さにさらされる場合、ハブ周囲縁部の周りで上向きの方向に旋回して柔軟である。トラクション要素がこのように撓ませられ広げられる場合、芝生係合端縁部は、芝生または他の下にある表面を摩擦的に横切り、トラクションの一形態を提供する。加えて、草の葉はトラクション要素の上側表面と着用者の靴のソールとの間に捕らえられる傾向がある。さらに、トラクション要素の全長に沿って延びている弓状の凹および凸縁部は、トラクション要素が横方向か回転方向で草を通って移動する場合、草の葉を水平に係合する。
【００１２】
前述の目的、および、本明細書中での開示から明らかである他の目的は、個別におよび組み合わせて達成され、本明細書に添付された特許請求の範囲によって必要とされない限り、本発明が、２つまたはそれより多くの目的が組み合わされることを必要とすると解釈されることを意図しない。
【００１３】
本発明の上記のならびにその上さらなる特徴および利点は、本明細書中に説明される本発明の特定の実施形態の定義、説明および説明的な図を考慮すると、明白になる。以下の詳細な説明では、様々な図における同じ参照数字は、同じ構成要素および要素を表すために用いられ、同じ用語は、いくつかの実施形態における同様のまたは対応する要素を指すために使われる。これらの説明は発明の特定の詳細に入るが、変形が存在し得かつ必ず存在すること、および、以下の説明を考慮すると、変形が当業者に明白であることを、理解されるべきである。
【図面の簡単な説明】
【００１４】
【図１】図１は、本発明の第１の実施形態に従って構成されたレセプタクルの、係合側面を示す、下からの視点における図である。
【００１５】
【図２】図２は、図１のレセプタクルの図における上面図である。
【００１６】
【図３】図３は、図１のレセプタクルの図における底面図である。
【００１７】
【図４】図４は、図３の詳説の円に取り囲まれたレセプタクルの部分の詳細図である。
【００１８】
【図５】図５は、図１のレセプタクルの断面における側面図である。
【００１９】
【図６】図６は、図１に示されたタイプのレセプタクルを係合するように構成された、本発明による、クリートの上からの視点における図である。
【００２０】
【図７】図７は、図６のクリートの図における底面図である。
【００２１】
【図８】図８は、図６のクリートのベース部分の図における上面図である。
【００２２】
【図９】図９は、図８のクリートベース部分の視点における図である。
【００２３】
【図１０】図１０は、クリートのベース部分の別の例の図における上面図である。
【００２４】
【図１１】図１１は、クリートのベース部分のさらに別の例の図における上面図である。
【発明を実施するための形態】
【００２５】
（発明の詳細な説明）
図１〜９をより詳細に参照すると、クリート４０（図６〜９）を所定の位置で受け取り、係合し、かつ、確実に係止するように構成されたレセプタクル１０（図１〜５）が示されている。レセプタクル１０は、底表面１２および上部表面１３を有するベースプレート１１を含む。示されているように、ベースプレート１１は、わずかに丸みを帯びた（すなわち、大きい曲率半径の）向かい合った長い側縁部とより丸みを帯びた（すなわち、より小さい曲率半径の）向かい合ったより短い側縁部とを有する、略長方形であり得るが、ベースプレート構成自体は、それ自体が発明の特徴ではなく、他の態様でレセプタクル装着軸Ａの周りに対称的または非対称的に構成され得る。クリート４０がレセプタクル３０内に据え付けられるとき、クリート軸Ｂおよびレセプタクル軸Ａは、同軸上に位置づけられる。
【００２６】
各短い側縁部に近接した、ベース１１の半径方向に外側の部分は、靴のアウトソール内にレセプタクルを固定するために、ベース１１を貫いて（すなわち、ベースプレートの厚さを貫いて）長手方向に画定された２つの取り付けスロット１４を有する。靴のアウトソール内でのレセプタクルの取り付けまたは埋め込みは、当該技術分野で周知の方法によってもたらされ、取り付けスロット１４の周りにまたは取り付けスロット１４を通して、アウトソール材料を成形することまたは他の態様でアウトソール材料を形成することを含み得る。略円筒状で中空のボス２４は、ベース１１上で中央に底表面１２から下向きに（レセプタクルが靴のアウトソール内に取り付けられたときに見られた場合）突出し、レセプタクルの長手方向軸Ａの周りに同心円状に配置された、中空の略円筒状の内側キャビティ２５を周方向に画定する。ボスの遠位端２６は、クリート４０のためにキャビティへのアクセスを提供するために開放している。キャビティの内部円筒状の壁は、クリート４０のステム５０を受け取り、ステム５０をねじで係合するように構成された３条ねじで、２７においてねじ山を付けられている。３つの係合ねじのうちの１つは、他の２つより幅広いねじ型を有し得、３つの係合ねじのうちの１つがクリートステム上の同様により幅広いねじ型と整列することを可能にし、それによって、レセプタクル内でクリートの所定の最終の回転位置を有することが所望されるときに通例提供されるように、クリートとレセプタクルとの間の回転係合のための特有または単一のスタート位置を確立する。
【００２７】
突出部材２９が、キャビティ２５内において、キャビティの近位端壁から開放の遠位キャビティ端に向かって延びている。突出部材２９は、示されているように、レセプタクル軸Ａと同軸上に位置する中央の長手方向軸を有する直立した円錐台状の部材であり得、レセプタクルのベースは、キャビティの近位端壁にあり、遠位の開放のキャビティ端に向かって先細になっている。突出部材２９の軸方向長さは、通常、キャビティ２５の軸方向長さの少なくとも２分の１であるが、開放のキャビティ端を越えて延びるほど長くはない。突出の形状および位置は非常に異なり得、制限は突出部材が以下に記載された態様でクリート４０のステム５０内の凹部５１と協働して機能しなければならないことである。
【００２８】
例として、切頭の円錐部材２９は、収束角で約１４度（すなわち、レセプタクル軸Ａに対して７度）から約２０度（すなわち、レセプタクル軸に対して１０度）の範囲で自身のベースから先細になり得る。レセプタクルキャビティの底壁の内側表面上の切頭の円錐の高さは、好ましくは１．７０ｍｍから１．９５ｍｍの範囲にある。
【００２９】
１２の等しく角度的に間隔を置かれた係止スタブまたは歯２３、２３ａは、円筒状のボス２４の半径方向に外側の表面上の連続的な環状のアレイで配置される。これらの係止歯は、ボス２４から半径方向に外向きに突出し、ボスの軸方向長さよりわずかに短いかボスの軸方向長さと実質的に等しい軸方向高さを有する。同じ構成を有するこれらの歯すべての代わりに、それらの歯のうちの３つ（すなわち、歯２３ａ、アレイ内において３つおきの歯）の構成は、他の９つの歯２３の構成とは異なる。具体的には、挿入されるクリート４０の係止ポスト６０が、レセプタクル内でのクリートの回転挿入中、これらの係止歯を通るとき、ポスト６０は、最終の回転位置において、各係止ポスト６０がそれぞれの係止歯に対して所定の回転位置にありかつ保持されるまで、相互に弾力的に係合または接触する表面に沿って、係止歯２３、２３ａを過ぎるようにされる。クリートの逆回転への抵抗を増加させることによって保持を向上させるために、３つの異なる係止歯２３ａの（挿入方向にあると考えられる）後縁表面３５は、係止歯２３ａの前縁表面、ならびに、歯２３の前および後縁表面の両方より急な角度を提供され、その結果、逆回転（すなわち、係合解除の方向で）は、より効果的に阻害され得る。例えば、後縁表面３５は、軸Ａから延びている半径に関して、２０度±５度の角度に対し得る一方で、歯２３ａの前縁表面、ならびに、歯２３の前および後縁表面の両方は通常、４０度と６０度との間の、その角度長さに沿って、滑らかに変わるより浅い角度に対する。この実施形態に対して、ボス２４の外周からの１２の係止歯２３、２３ａすべての半径方向に外側の範囲は、同じである。
【００３０】
比較的薄い環状のシュラウド壁２８は、軸Ａの周りで同心円状に配置され、係止歯２３、２３ａから半径方向に外向きに間隔を置かれ、シュラウドと係止歯との間にクリート４０の係止ポスト６０を受け取るための環状のスペース１９を画定する。シュラウド２８の軸方向長さまたは高さは、通常ボス２４の高さよりわずかに短いが、好ましくは係止ポスト６０の軸方向長さと等しい。シュラウドは、クリート係止ポストが、環状のスペース１９におけるクリートの回転中、係止歯２３、２３ａによって、アウトソール材料内に押し込められ、アウトソール材料を傷つけることから守る。上述のとおり、そのような回転中、クリート係止ポストは、連続したレセプタクル係止歯によって半径方向に外向きに繰り返し押される。シュラウド２８は、係止ポストが係止歯を跨ぎ外向きに押されるときに、ポストが、包囲しているアウトソール材料ではなくレセプタクルシュラウドと接触するように、半径方向に位置づけられかつそのように構成される。シュラウド２８は剛体またはわずかに可撓性であり得るが、重要なことに、シュラウドは、クリートの回転中、アウトソール材料を過ぎて移動せずかつアウトソール材料を傷つけない。
【００３１】
レセプタクル１０は、４ミリメートルの短さの軸方向長さまたは高さを有するように製作され得、レセプタクルの底壁の厚さが約０．７５ｍｍの厚さであり、円錐台状の突出部材２９の高さが約１．９５ｍｍである場合、ＴＰＵ（熱可塑性ポリウレタン）およびゴムから成形されたアウトソール内に成形されることに特に適している。
【００３２】
ベースプレート１１は、略長方形である必要はないが、機能的、位置的および構造的な配慮によって様々な構成を有し得ることを理解されたい。例えば、ベースプレートは円形状を有し得、その円形状は、図１に示されるレセプタクルのベースプレートで４つの取り付けスロット１４を提供されるより、アウトソール材料におけるより確実な取り付けのために、６つの取り付けスロット１４がベース全体の周りに角度的に間隔を置かれた関係で提供されることを可能にする。言い換えれば、アウトソール材料は、より強い結合を提供するために、円形ベースを有するレセプタクルにおいて２つの追加のスロットを充填する。加えて、ベースプレートは、製造中、アウトソールの成形においてレセプタクルの適切な位置的な整列を指定するために、ベースプレートの縁部に刻み目をつけられ得るか他の態様で印をつけられ得る。
【００３３】
より具体的に図６〜９を参照すると、クリート４０は、そのハブ４１の上部表面から軸方向に突出しているねじ山を付けられた装着ステム５０を有し、装着ステム５０は、上述のレセプタクル１０への装着のために、クリートの長手方向軸Ｂの周りで同心円状に配置される。ステム上のねじは、レセプタクルのキャビティ２５において３条内側ねじ２７を係合するために適切な３条外側ねじである。クリートハブ４１は、略円形であり、クリートハブ４１も、同心円状に軸Ｂの周りにあり、環状の周囲縁部４３内に画定される。ステム５０の遠位挿入端は、そこに画定された軸方向に延びている凹部５１を有する。凹部５１は、ステム５０がレセプタクル１０とのねじ式係合のためにキャビティ２５内に挿入される場合、突出部材２９を受け取るように構成される。具体的には、示されているように、凹部５１は、軸Ｂと同軸上に配置され得、直立した円錐台状の構成を有し得、そのより広い開放の端がステム遠位端にあり、そのより狭い近位または内側端が凹部のベースにある。凹部５１は、ステム５０の遠位端内へ軸方向に少なくとも１．０ｍｍ延びており、突出部材２９の長さに応じて、通常少なくとも１．５ｍｍまたはそれより長く延びている。
【００３４】
ステム凹部５１がないクリートが、レセプタクル１０のキャビティ２５内に挿入されることができず、キャビティ２５を係合することができないことを理解されたい。具体的には、キャビティ２５が認可されたクリート４０上のステム５０を（ねじでまたは他の態様で）回転式で受け取り、それを係合する場合、突出部材２９は、ステム凹部５１内へ妨げられずに延び、レセプタクルへのクリートの係合を可能にする。認可されていないクリートは、ステム凹部を有しておらず、認可されていないクリートのステムが、レセプタクル突出部材２９によって、レセプタクルキャビティ内に挿入されレセプタクルキャビティによって係合されることを阻まれる。キャビティがクリート上にあり、ステムがレセプタクル上にあるクリートレセプタクルシステムに対して、突出部材はクリートキャビティ内にあり、凹部はレセプタクルステム内に画定される。
【００３５】
キャビティ突出部材２９および受け入れるステム凹部５１の構成は非常に異なり得、制限はキャビティ突出部材２９がキャビティ内でステム５０の係合を阻止してはならないことである。例えば、凹部境界構成は突出部材の周囲と一致する必要はなく、むしろ、凹部構成は、突出部材が、クリートとレセプタクルとの回転係合中および後、凹部において妨げられず受け取られることを可能にすることのみを必要とされる。このように、円錐状の突出部材は、径方向および縦方向に、突出部材を完全に受け取り、クリートがレセプタクルに接続されることを可能にするのに十分大きい任意の凹部構成で、意図された機能を果たす。例えば、必要に応じて位置づけられた、十分な大きさの円筒状の構成を有する凹部は、円錐台状の突出部材を受け入れるために機能し得る。同様に、突出部材は、円錐状または円錐台状である必要はなく、突出部材が、レセプタクルとの認可されたクリートの係合を可能にするためにキャビティ凹部において適切に受け取られるが、レセプタクルとの認可されていないクリートの係合を阻むことができさえすれば、突出部材は規則的または不規則的な形状を有し得る。突出部材が、レセプタクルとの認可されたクリートの係合を可能にするためにキャビティ凹部において適切に受け取られるが、レセプタクルとの認可されていないクリートの係合を阻むことができさえすれば、突出部材は、クリートおよびレセプタクルの回転軸の周りに同心円状に配置される必要もクリートおよびレセプタクルの回転軸上に位置する必要さえもないことも留意されるべきである。
【００３６】
クリート４０の複数の角度的に間隔を置かれた動的トラクション要素５３は、縁部４３にまたは縁部４３の近くに固定された近位端を有し、その縁部から外向きかつ下向きに延びている。動的トラクション要素５３は、ベースの周方向の周囲に沿って角度的に等しく間隔を置かれた３対に特有に配列される。各対における２つのトラクション要素５３間の角度間隔は、対間の角度間隔より非常に小さい。動的トラクション要素５３は、片持ち梁のように持ち出された態様でクリートハブから延びており、下向きのおよび角度的な方向の両方に弓状に構成される。具体的には、各トラクション要素５３は、ハブ周縁部４３から、角度的に弓状の向きに外向きに、かつ、弓状に下向きに延びている近位部を含む。近位部は、角度的な外向きの曲率を維持しながら、ほとんど垂直に下向きに向く遠位部へ、角度的および下向きの両方で、滑らかに弓状に移行する（ｔｒａｎｓｉｔｉｏｎｓ）。各トラクション要素５３の遠位端は、芝生係合縁部５５で終わる。１つの実施形態では、各トラクション要素５３の近位部は、垂直面においてハブ４１の上部表面４２に関して約３０度の角度に対し、各要素の遠位部は、その面において約８０度の角度に対する。トラクション要素の３対間の角度間隔は、中央で１２０度であり、各要素から次の隣接した対における最も近い要素までの間隔は、０度から８０度までの範囲にある。任意の１対におけるトラクション要素間の角度間隔は、要素の角度的厚さでおよび設計の選択によって変わり得るが、通常、弓状の半径方向長さ（ｔｈｅ  ａｒｃｕａｔｅ  ｒａｄｉａｌ  ｌｅｎｇｔｈｓ  ｏｆ  ｔｈｅ  ａｒｃｕａｔｅ  ｒａｄｉａｌ  ｌｅｎｇｔｈｓ）に関して１０度から３０度の間で変わる。トラクション要素５３の重要な側面は、所与の全体径を有するクリートに対して、要素の向かい合った凹および凸側面が、実質的に真っすぐに半径方向に外向きに延びている従来の動的トラクション要素の側面より長いことである。言い換えれば、トラクション要素５３の曲率は、より長い要素の側面が所与のクリート径内に存在することを許す。
【００３７】
動的トラクション要素５３は、動的トラクションの３つの程度を達成するために、ハブに対して柔軟である。具体的には、クリート４０が据え付けられた靴を履いている典型的な人の重さの下では、各トラクション要素５３は、ハブ周囲縁部４３の周りで上向きの方向に旋回して撓み、半径方向に外向きに広がり、その結果、芝生係合縁部５５が芝生に沿って力強く延長される。トラクション要素が広がる場合、芝生係合縁部５５は、芝生または他の下にある表面を摩擦的に横切り、トラクションの一形態を提供する。加えて、トラクション要素が旋回して上向きに撓む場合、草の葉がトラクション要素の上側表面と着用者の靴のソールとの間に捕らえられる傾向がある。最終的に、各トラクション要素の半径方向に弓状の構成は、要素の全長に沿って延びているより長い向かい合った凹および凸縁部を提供し、それによって、上述のとおり、半径方向の曲率を有さない動的トラクション要素に存在するより長い半径方向長さを提供する。したがって、それらのより長い縁部は、要素が横方向か回転方向で草を通って移動する場合、より多くの草の葉を弾力的に係合し、トラクションのさらに別の程度を提供する。
【００３８】
３つの係止ポスト６０は、クリート軸Ｂの周りに同心円状に位置する環状のアレイにおいて角度的に間隔を置かれた関係で配置される。各係止ポスト６０は、半径方向に内側に突出している３つの角度的に間隔を置かれた突起６１、６２、６３を含む、半径方向に内向きに向いている表面を有する。半径方向に外向きの凹部６４は、突起６１と６２との間に配置され、別の半径方向に外向きの凹部６５は、突起６２と６３との間に配置される。係止ポスト６０は、ハブ４１の上部表面４２から垂直に上向きに（すなわち、軸方向に）延びている。係止ポスト６０の上部表面は、突起６３に最も近い前端から突起６１に最も近い後端までわずかに傾斜する（すなわち、軸方向高さが増加する）。その上部表面は、クリートがレセプタクルにおいて締め付けられた場合、シュラウド２８から内部で環状のスペース１９においてクリートベースプレート１２（図１）の底表面と接触する。ベースプレートの表面１２は、スペース１９において、そのような締め付け中、傾斜している上部表面６０と協働するように、対応して勾配をつけられ得る。ポストの軸方向高さは、示された実施形態に示されているように、名目上約３ミリメートルであり得、ポストの半径方向厚さは、約１ミリメートルから２ミリメートルの間である。
【００３９】
係止ポスト６０の各群における凹部６５は、取り外し方向でクリートとレセプタクルとの間での回転に抵抗することを助けるために、異なって構成された３つおきの係止歯２３ａ（図１）と協働するように構成される。具体的には、各係止ポスト６０における凹部６５の後縁部６９（すなわち、挿入回転方向で後方）は、３つの異なって構成された係止歯２３ａ（図１）の後縁部３５上の急な傾斜と一致するために、その凹部における対向壁より急な傾斜を有する。クリートがレセプタクル内へ完全に挿入および係止される場合、より急な傾斜表面は、取り外し回転と接触し、それに強く抵抗する。
【００４０】
より具体的には、各係止歯２３の半径方向に外向きに向いている末端は、レセプタクル軸Ａの周りに、小さい曲率半径を有してわずかに凸であり、歯２３ａにおいて、末端は平らにされている。各係止ポスト６０の凹部６４の最下点は、クリート軸Ｂの周りに、曲率半径を有してわずかに凹であり、凹部６５の最下点は平らにされている。各係止歯２３、２３ａの半径方向に外向きの末端は、各ポスト６０の各突起６１、６２、６３の末端の、クリート軸Ｂからの半径方向距離より、（例えば、約１ミリメートルだけ）わずかに長いレセプタクル軸Ａからの半径方向距離にある。これは、末端が角度的に（すなわち、回転式で）整列される場合、これらの末端間での阻止している係合（ａｎ  ｉｎｔｅｒｆｅｒｉｎｇ  ｅｎｇａｇｅｍｅｎｔ  ｂｅｔｗｅｅｎ  ｔｈｅｓｅ  ｔｅｒｍｉｎｉ）をもたらす。係止ポスト６０は、やや剛体であるが、レセプタクルにおけるクリートの挿入中、ポストが係止歯を回転式で通る場合、係止ポスト６０のベースの周りでわずかに半径方向に曲がることができるほど十分に可撓性がある。ポスト突起の比較的浅い傾斜している前端と歯の浅い傾斜している前端壁とは、挿入回転中、これらの表面が係止ポストの撓みを係合し、それを徐々に押しやる場合、回転を容易にする。係止ポストが、歯を通り、スタブ間の凹部との角度整列にあると、ポストはその名目上の形状に戻る。クリートステムがレセプタクルキャビティ内で完全に回転式で挿入される場合、ステム遠位端は、凹部５１内で突出部材２９を完全に受け取り、キャビティ２５の閉鎖端と実質的に接触し、実質的に、係止ポスト６０の軸方向全長は、環状のスペース１９内に挿入される。係止ポスト突出部および係止歯の、より急な角度をつけられた後端が、それらの軸方向長さに沿って完全に接触し、挿入方向と反対の方向におけるクリートとレセプタクルとの間での相互回転を邪魔するのは、この最終挿入位置においてである。
【００４１】
図６におけるクリートの特徴が、相互に排他的であることに注意すべきである。特に、特定の示されているポスト６０なしで突出部材を提供することが可能であり、代わりに、本明細書中の上記で参照により援用される特許文献において開示されているような、他の係止ポスト構築が、所望のようにまたは実際的だと見なされるように使われ得る。同様に、突出部材および受け取る凹部のない特定の係止ポスト６０の構成を使うことが可能であり、そのような配列は、必ずしも突出部材を有さないレセプタクル内にクリートが挿入されることを可能にし、そのような配列は、レセプタクルを係止して係合する。
【００４２】
図１０および１１は、示されているクリートが、上述のレセプタクルおよび前のＦＡＳＴ  ＴＷＩＳＴ（登録商標）レセプタクルを係合することを可能にする、クリートにおけるそれぞれの代替係止配列を示す。具体的には、係止ポストが３つの係止ポストの３つの群にある代わりに、６つの個々の係止ポスト７０（図１０）および８０、８０ａ（図１１）が、等角の間隔を置かれた関係で提供される。図１１の実施形態では、２つの異なる係止ポスト構造８０、８０ａが提供され、１つのタイプ８０はポスト７０と実質的に同じであり、１つのタイプ８０はまた、上記に参照された米国特許第７，１０７，７０８号（Ｋｅｌｌｙ他、参照により援用される）で記載され、その図１１に示されているものと実質的に同じである。他のポストタイプ８０ａは、係止ポスト６０において半径方向に内向きに延びている、３つの角度的に間隔を置かれた突起の真ん中の突起６２（本明細書中の図６）に、少なくとも機能的に略似ているが、３つの突出部の群の一部になることと対照的に、独立した係止ポストである。具体的には、係止ポスト８０ａの（挿入回転方向での）後縁部は、図１に示されているレセプタクルにおける３つの異なって構成された係止歯の後縁部上の急な傾斜と一致するために、係止ポスト８０ａの前縁部より急な傾斜を有する。クリートがレセプタクル内へ完全に挿入および係止される場合、クリートおよびレセプタクルにおけるより急な傾斜表面は、取り外し回転と接触し、それに強く抵抗する。この接触を確実にするために、当業者は、クリートとレセプタクルとの間でのねじ式係合のスタート位置およびこの係合のタイミングを選択する。
【００４３】
３つの係止ポスト８０と３つの係止ポスト８０ａを交互にする代わりに、１つの係止ポスト８０ａだけが５つの係止ポスト８０とともに使われ得ることを理解されたい。そのような配列は、特定の角度向きが所望される場合、クリートがレセプタクルに対して適切な回転向きで係止され得ることを確実にする。
【００４４】
レセプタクルおよびクリートの特定の実施形態ならびにそれらの係合が記載されているが、他の構成が採用され得る。例えば、３条ねじが記載されかつ示されているが、２条ねじが使われ得る。加えて、取り付け特徴は、クリート挿入中、レセプタクルに対してクリートの画定されたスタートおよび結果として生じる最終の回転位置を確実にするために提供され得る（ｍａｔ）。構成（Ｔｈｅ  ｃｏｎｆｉｇｕｒａｔｉｏｎ）
【００４５】
新しい改良されたトラクションクリートおよびレセプタクルの好ましい実施形態ならびにそれらの様々な新規な構成要素を記載しているが、他の修正、変形および変更が、本明細書中に規定された教示を考慮すると、当業者に示唆されると考えられる。したがって、すべてのそのような変形、修正および変更が、添付された特許請求の範囲により定められるように、本発明の範囲内に入ると考えられることを理解されるべきである。特定の用語が本明細書中で採用されるが、その用語は、限定の目的のためではなく、一般的な記述的な意味においてのみ使われる。
【図１】
2018502649.tif 000003
【図２】
2018502649.tif 000004
【図３】
2018502649.tif 000005
【図４】
2018502649.tif 000006
【図５】
2018502649.tif 000007
【図６】
2018502649.tif 000008
【図７】
2018502649.tif 000009
【図８】
2018502649.tif 000010
【図９】
2018502649.tif 000011
【図１０】
2018502649.tif 000012
【図１１】
2018502649.tif 000013
【国際調査報告】
2018502649.tif 000014
2018502649.tif 000015
2018502649.tif 000016